(57)【要約】【課題】体格や患部の部位に関わりなく、簡単に装着ができ、また体格が未熟な子供でも装着できるアイシングサポーターを提供する。【解決手段】  表材３と裏材４を重ねてその周縁を接合し、その内部に蓄冷剤１の収納部５，５を並設し、且つ収納部５，５上の表材３には蓄冷剤１の挿入口６，６を設けて収納部５，５に軽量且つ長時間効果持続可能な蓄冷剤１を収納した本体２と、その一端を本体２に固定し、他端を開放端とした伸縮性固定ベルト７と、その両端を開放端とした伸縮性補助ベルト８とからなり、表材３の上部全面には面ファスナー９と伸縮性固定ベルト７と伸縮性補助ベルト８の開放端にはこれに係合するファスナー７ａ，8a，８ａを設けた身体装着用アイシングサポーター。【選択図】図２
2015164482.tif 000002
【特許請求の範囲】
【請求項１】
表材と裏材を重ねてその周縁を接合し、その内部に蓄冷剤の収納部を並設し、且つ収納部上の表材には蓄冷剤の挿入口を設けて収納部に軽量且つ長時間効果持続可能な蓄冷剤を収納した本体と、その一端を本体に固定し、他端を開放端とした伸縮性固定ベルトと、その両端を開放端とした伸縮性補助ベルトとからなり、表材の上部全面には面ファスナーと伸縮性固定ベルトと伸縮性補助ベルトの開放端にはこれに係合する面ファスナーを設けたことを特徴とする身体装着用アイシングサポーター。
【請求項２】
表材と裏材は表層、中層、裏層の三層構造で構成される請求項１記載の身体装着用アイシングサポーター。
【請求項３】
並設された蓄冷剤収納部間の表材と裏材を逢着し、且つ重ね合わされた表材と裏材の周縁を縁巻テープで接合するようにした請求項１記載の身体装着用アイシングサポーター。
【請求項４】
伸縮性補助ベルトが伸縮性固定ベルトより長い請求項１記載の身体装着用アイシングサポーター。
【発明の詳細な説明】
【技術分野】
【０００１】
この発明は肩や肘や膝や足首などに装着して用いる蓄冷剤を収容する袋をもつ身体装着用アイシングサポーターに関する。
【背景技術】
【０００２】
従来の身体装着用アイシングサポーターでは、冷却する部位によって色々なタイプの製品が提案されている。冷却材も蓄冷剤や氷嚢や氷を入れた
ビニール袋などを用い、それらの冷却材を収容する収容袋と固定装具によって構成され、冷却する部位に合わせた独自形状で作られている。
【先行技術文献】
【特許文献】
【０００３】
こうした身体装着用アイシングサポーターの従来技術としては、例えば次の文献を挙げることができる。
【特許文献１】特開２０１４−１８６３２
【特許文献２】特開２００６−１２２５４５
【特許文献３】特開２００２−２０９９２８
【特許文献４】特開２００４−２６１５６０
【非特許文献】
【０００４】
【非特許文献１】日本シグマックス株式会社  コンディショニングハンドブック（2010.1）Ｐ１１  Ｐ１２  Ｐ１３  Ｐ１４
【発明の概要】
【発明が解決しようとする課題】
【０００５】
このうち、引用文献１は、身体患部に巻回するときの周径に対応する複数本の周径調整用ベルトと、扁平状の蓄冷部材と、前記蓄冷部材より大きな基材と、前記基材に蓄冷部材を位置させて、前記蓄冷部材を覆い、面ファスナーにより前記基材に蓄冷部材を保持させるカバーからなり、少なくとも基材の要部には基材の屈曲を容易にする伸縮機能を配置したものである。
【０００６】
引用文献２の帯状のサポーター及び引用文献３の肩用袋体においては、ゲル状の蓄冷剤を区画された複数の蓄冷室に充填し、このサポーターを患部に巻き付けて構成されている。
引用文献４には、例えば膝蓋骨用の窪みを供えた膝用に特化した形態のサポーターも提案されている。
【０００７】
非特許文献１では、アイシングを実施する頻度の高い肩関節用の製品では、大人用・子供用での大きさの異なる製品も提案されている。
【０００８】
以上述べたように、従来の身体装着用アイシングサポーターでは、冷却する部位によって様々なタイプの製品が提案されているが、これらの製品には体格や冷却実施部位に合わせて、その都度身体冷却用アイシングサポーターを装着しなおさなければならない問題やアイシングサポーター本体と身体を冷却するために用いられる蓄冷剤や氷嚢や氷を入れたビニール袋などの重量が重くなることで装着する際に手間が掛ってしまうという問題がある。
【０００９】
このような問題点の他に、体格が未熟な子供では従来のアイシングサポーターを総重量や装着形状の難しさによって自分一人では装着できないということも挙げられる。
【課題を解決するための手段】
【００１０】
この発明は、上記実情に鑑み、表材と裏材を重ねてその周縁を接合し、その内部に蓄冷剤の収納部を並設し、且つ収納部上の表材には蓄冷剤の挿入口を設けて軽量且つ長時間効果持続が可能な蓄冷剤を収納した本体と、その一端を本体に固定し、他端を開放端とした伸縮性固定ベルトと、その両端を開放端とした伸縮性補助ベルトとからなり、表材の上部全面には面ファスナーと伸縮性固定ベルトと伸縮性補助ベルトの開放端にはこれに係合するファスナーを設けたことを特徴とする身体装着用アイシングサポーターを提案するものである。
【００１１】
この発明に係るアイシングサポーターには、例えば約２００グラムの軽量且つ長時間効果持続が可能な蓄冷剤を収納部に挿入して使用する。
【００１２】
なお、本体内部での蓄冷剤のズレを防止するため、収納部間の表材と裏材を逢着し、且つ重ね合わされた表材と裏材の周縁を縁巻テープで接合するようにしてある。
【００１３】
また、伸縮性固定ベルト乃至伸縮性補助ベルトとしては、例えば５０ｍｍ幅の伸縮細幅織物ベルトが使用され、更に伸縮性補助ベルトは伸縮性固定ベルトより長いものが使用される。
【００１４】
なお、表材の上部全面には設けられる面ファスナーとしては、例えば雌機能付面ファスナーが使用され、伸縮性固定ベルトの一端部乃至伸縮性補助ベルトの両端部には雄機能付面ファスナーが設けられる。
【００１５】
更に、蓄冷剤が身体を冷却して融解する際に発する水分が本体外部に漏洩するのを防ぐため、この実施例では表材と裏材を表層・中層・裏層の三層構造とし、具体的には表層がナイロン糸とポリウレタン糸を織り込んだ層、中層がボンディング材、裏層がポリエステルの三層構造にしてある。
【発明の効果】
【００１６】
この発明に係るアイシングサポーターで例えば肩の患部を冷却する場合には、本体の裏面を患部に当て、伸縮性固定ベルトを腕に巻回し、その一端に設けられたファスナーを本体の表面に形成した面ファスナーに係合させ、更に伸縮性補助ベルトを身体に巻回し、その両端部に設けられたファスナーを本体の表面に形成した面ファスナーの適当な位置に係合させることにより、本体の体着時の安定が更に高まり、したがって身体のあらゆる部位をアイシングすることができる。
【００１７】
同時に、この発明に係るアイシングサポーターは、体格や患部の部位に関わりなく、簡単に装着ができ、また体格が未熟な子供でも自分一人で装着できる。
【００１８】
また、この発明では約２００グラムの軽量且つ長時間効果持続が可能な蓄冷剤を収容する袋を２つもつ四角形の形状を有する本体なので身体を冷却する際にも軽量であるためアイシングサポーター重量による身体へのストレスが少ない。
【００１９】
この他、この発明では本体内に蓄冷剤の収納部を並設することにより、腋窩と脇の下を同時冷却するクーリング用サポーターとして使用することもできる。
【図面の簡単な説明】
【００２０】
【図１】約２００グラムの軽量且つ長時間効果持続が可能な蓄冷剤正面図
【図２】この発明に係わる身体装着用アイシングサポーターと伸縮性補助ベルト正面図
【図３】この発明に係わる身体装着用アイシングサポーターに蓄冷剤を設定している正面図
【図４】この発明に係わる身体装着用アイシングサポーター素材の断面図
【図５】この発明に係わる身体装着用アイシングサポーターにおいて伸縮性補助ベルト設定の一例を示す正面図
【図６】この発明に係わる身体装着用アイシングサポーターにおいて伸縮性補助ベルト設定の他の一例を示す正面図
【図７】この発明に係わる身体装着用アイシングサポーターを肩に装着した使用例を示す斜視図
【図８】この発明に係わる身体装着用アイシングサポーターを膝に装着した使用例を示す斜視図
【図９】本体の縦断側面図
【発明を実施するための形態】
【００２１】
表層・中層・裏層の三層構造から成り、その表層上部全面に雌機能付面ファスナーを設けた表材と表層・中層・裏層の三層構造から成る裏材を重ねてその周縁を接合し、その内部に蓄冷剤の収納部を並設し、且つ収納部上の表材にはジッパー開閉による蓄冷剤の挿入口を設けて収納部に約２００グラムの軽量且つ長時間効果持続が可能な蓄冷剤を収納した本体と、その一端を本体に固定し、その他端に上記面ファスナーに係合するファスナーを設けた伸縮性固定ベルトと、その両端に上記面ファスナーに係合するファスナーを設けた伸縮性補助ベルトとからなる身体装着用アイシングサポーター表層・中層・裏層の三層構造から成り、その表層上部全面に雌機能付面ファスナーを設けた表材と表層・中層・裏層の三層構造から成る裏材を重ねてその周縁を接合し、その内部に蓄冷剤の収納部を列設し、且つ収納部上の表材には蓄冷剤の挿入口を設けた本体と、その一端を本体に固定し、その他端に上記雌機能付面ファスナーに係合する雄機能付面ファスナーを設けた５０ｍｍ幅の伸縮性固定ベルトと、その両端に上記雌機能付面ファスナーに係合する雄機能付面ファスナーを設けた５０ｍｍ幅の伸縮性補助ベルトとからなる身体装着用アイシングサポーター。
【実施例１】
【００２２】
１はこの発明で使用する約２００グラムの軽量且つ長時間効果持続が可能な蓄冷剤、２は四角形状の本体。
【００２３】
本体２は表材３と裏材４を重ねてその周縁を接合し、その内部に蓄冷剤１の収納部５，５を並設し、表材３の中央部分にはジッパー開閉による蓄冷剤１の入口６，６が設けられる。
【００２４】
また、この実施例では収納される蓄冷剤１、１のズレを防ぐため、並設される収納部５，５間の表材３と裏材４を縫設ライン７に沿って縫設し、表材３と裏材４の周縁を縫設する際には周縁に縁巻テープ８を設置するようにしてある。
【００２５】
更に、蓄冷剤（１）で身体を冷却することにより融解する際に発する水分を本体外部に漏えいすることを防ぐため、この発明では図４に示すように、表材３と裏材４を表層Ａ、中層Ｂ、裏層Ｃの三層構造としてある。具体的には表層がナイロンとポリウレタン、中層がボンディング材、裏層がポリエステルの三層構造で構成される。
【００２６】
また、９はその一端を本体２に固定し、他端を開放端とした５０ｍｍ幅の伸縮細幅織物ベルトで構成される伸縮性固定ベルト、１０は両端を開放端部とした５０ｍｍ幅の伸縮細幅織物ベルトで構成される伸縮性補助ベルトであり、表材の上面全面に面ファスナー１１が設けられ、伸縮性固定ベルト９の開放端部には面ファスナー１１に係合するファスナー９Ａが設けられ、伸縮性補助ベルト１０の両端部の開放端部には面ファスナー１１に係合するファスナー１０Ａ、１０Ａが設けられる。この実施例では面ファスナー１１は雌機能付面ファスナーが使用され、ファスナー９Ａ、ファスナー１０Ａ、１０Ａは雄機能付面ファスナーが使用される。
【００２７】
伸縮性補助ベルト１０は、表材上面全面に設けられた面ファスナー１１に何れの方向に設定して使用してもよく、例えば図５に示すように伸縮性固定ベルト９に対して直角の方向に設定して使用することができ、また図６に示すように伸縮性固定ベルト９と平行に設定して使用することができる。
【００２８】
この発明に係るアイシングサポーターを肩に装着する場合には、図７に示すように本体２の裏面を肩に宛がい、伸縮性固定ベルト９を腕に巻き付け、ファスナー９Ａを面ファスナー１１に係合させ、更に伸縮性補助べルト１０を身体に巻き付けその両端部のファスナー１０Ａ、１０Ａを面ファスナー１１に係合させ、本体２を身体に安定に装着させる。
【００２９】
この発明に係るアイシングサポーターを膝に装着する場合には、図８に示すように本体２の裏面を肩に宛がい、本体２の裏面を膝に宛がい、伸縮性固定ベルト９を膝に巻き付け、ファスナー９Ａを面ファスナー１１に係合させ、更に伸縮性補助ベルト１０を膝を周回させ、その両端部のファスナー１０Ａ、１０Ａを面ファスナー１１に係合させ、本体２を身体に安定に装着させる。
【産業上の利用可能性】
【００３０】
以上要するに、この発明によれば、体格や患部の部位に関わりなく、簡単に装着ができ、また体格が未熟な子供でも装着でき、更に１つの身体装着用アイシングサポーター本体で身体の関節や筋肉のあらゆる部位のアイシングが可能となる。
【符号の説明】
【００３１】
１は軽量且つ長時間効果持続が可能な蓄冷剤
２は本体    
３は表材    
４は裏材    
５，５は蓄冷剤の収納部
６，６は蓄冷剤のジッパー開閉による入口
７は縫設ライン
８は縁巻テープ
９は伸縮性固定ベルト
９Ａは伸縮性固定ベルトの開放端部に設けられた面ファスナー
１０は伸縮性補助ベルト
１０Ａ、１０Ａは伸縮性補助ベルトの開放端部に設けられた面ファスナー
１１は面ファスナー
Ａ、Ｂ、Ｃは表材乃至裏材の表層、中層、裏層
【図１】
2015164482.tif 000003
【図２】
2015164482.tif 000004
【図３】
2015164482.tif 000005
【図４】
2015164482.tif 000006
【図５】
2015164482.tif 000007
【図６】
2015164482.tif 000008
【図７】
2015164482.tif 000009
【図８】
2015164482.tif 000010
【図９】
2015164482.tif 000011